(57)【特許請求の範囲】
【請求項１】
回転軸が嵌挿される軸受部と軸受部から延びて被覆部を覆う蓋覆部とを有し、前記回転軸の周りに回動する蓋部材と、
弾性部材からなる過開防止部と前記回転軸に対して直角方向に延びる閉防止部とを有するストッパー部材とを備え、
前記蓋覆部は前記被覆部を覆う内面と前記内面の裏側である表面とを有し、
前記過開防止部は、前記蓋部材が所定の位置まで回動したとき、前記軸受部の外周面又は前記表面と係合し、
前記蓋部材を閉じたときに前記ストッパー部材と対向する前記軸受部の部位から、前記外周面又は前記表面と前記過開防止部とが係合する部位まで、前記軸受部の外周の曲率半径が増加し、
前記蓋部材は、前記軸受部の外周面に係合溝を備え、
前記閉防止部は、前記蓋部材が所定の位置まで回動したとき、前記係合溝と係合する蓋構造。
【請求項２】
前記ストッパー部材は、前記回転軸の両端部を覆う第１及び第２のカバー部と、
前記第１及び第２のカバー部の間に前記回転軸と平行に延びて前記第１及び第２のカバー部を接続する接続部とを備え、
前記閉防止部は前記接続部から延びる請求項１に記載の蓋構造。
【請求項３】
前記ストッパー部材は、前記接続部から前記回転軸の円周方向に突出する補強リブを備える請求項１又は２に記載の蓋構造。
【請求項４】
前記蓋部材は、前記軸受部から延びて被覆部を覆う蓋覆部を有し、
前記蓋覆部は前記被覆部を覆う内面と前記内面の裏側である表面とを有し、
前記軸受部の外周の曲率半径は、前記軸受部から前記蓋覆部の表面に近づくにつれて増加する請求項１から３のいずれかに記載の蓋構造。
【請求項５】
前記過開防止部は、前記回転軸に対して平行に延びる請求項１から４のいずれかに記載の蓋構造。
【請求項６】
前記ストッパー部材は、前記過開防止部から前記回転軸の円周方向に突出する補強リブを備える請求項１から５のいずれかに記載の蓋構造。
【請求項７】
前記ストッパー部材は、前記回転軸の両端部を覆う第１及び第２のカバー部を備え、
前記過開防止部は前記第１及び第２のカバー部の間に設けられて前記第１及び第２のカバー部を接続する請求項１から６のいずれかに記載の蓋構造。
【請求項８】
請求項１に記載の蓋構造を備えるカメラ。
【発明の詳細な説明】
【技術分野】
【０００１】
本発明は、回動して開閉する蓋の構造に関する。
【背景技術】
【０００２】
蓋は例えばカメラの電池室の開口部を塞ぐために用いられる。ユーザは蓋を開けてから電池室に収容された電池を出し入れし、蓋を閉じることにより電池室に収納された電池が電池室から出てしまうことを防止する。
【０００３】
蓋全体が電池室から完全に外れるような構成では、蓋が紛失するおそれがある。これを防止するため、蓋を電池室の開口部周辺に回動自在に取り付ける構成が知られている（特許文献１）。
【特許文献１】特開平１１−２３２１８２号公報
【発明の開示】
【発明が解決しようとする課題】
【０００４】
しかし、蓋が開けられたとき、蓋の回動軸周囲の面がカメラの外装に衝突して傷が付くおそれがある。蓋に傷が付くとカメラ全体の美観が損なわれる。また、蓋を開けて電池を出し入れする際に、蓋がユーザの意図に反して閉まることがある。これはカメラの操作性を損なう。
【０００５】
本発明はこれらの問題を踏まえてなされたものであり、蓋に傷が付くことを防止しながら蓋の操作性を改善する蓋構造を得ることを目的とする。
【課題を解決するための手段】
【０００６】
本願第１の発明による蓋構造は、回転軸が嵌挿される軸受部と軸受部から延びて被覆部を覆う蓋覆部とを有し、回転軸の周りに回動する蓋部材と、弾性部材からなる過開防止部を有するストッパー部材とを備え、蓋覆部は被覆部を覆う内面と内面の裏側である表面とを有し、過開防止部は、蓋部材が所定の位置まで回動したとき、軸受部の外周面又は表面と係合することを特徴とする。
【０００７】
軸受部の外周の曲率半径は、軸受部から表面に近づくにつれて増加することが好ましく、過開防止部は回転軸に対して平行に延びるように構成されればなお好ましい。
【０００８】
ストッパー部材は、過開防止部から回転軸の円周方向に突出する補強リブを備えることが望ましい。
【０００９】
さらに、ストッパー部材は回転軸の両端部を覆う第１及び第２のカバー部を備え、過開防止部は第１及び第２のカバー部の間に設けられて第１及び第２のカバー部を接続するものであればなお良い。
【００１０】
本願第２の発明による蓋構造は、回転軸が嵌挿される軸受部を有し、回転軸の周りに回動する蓋部材と、弾性部材からなり、回転軸に対して直角方向に延びる閉防止部を有するストッパー部材とを備え、蓋部材は、軸受部の外周面に係合溝を備え、閉防止部は、蓋部材が所定の位置まで回動したとき、係合溝と係合することを特徴とする。
【００１１】
ストッパー部材は、回転軸の両端部を覆う第１及び第２のカバー部と、第１及び第２のカバー部の間に回転軸と平行に延びて第１及び第２のカバー部を接続する接続部とを備え、閉防止部は接続部から延びるように構成されることが望ましい。
【００１２】
また、ストッパー部材は、接続部から回転軸の円周方向に突出する補強リブを備えるものであればなお良い。
【００１３】
さらに、蓋部材は軸受部から延びて被覆部を覆う蓋覆部を有し、蓋覆部は被覆部を覆う内面と内面の裏側である表面とを有し、軸受部の外周の曲率半径は、軸受部から蓋覆部の表面に近づくにつれて増加することが好ましい。
【００１４】
本願第３の発明によるカメラは、前記蓋構造を備えることを特徴とする。
【発明の効果】
【００１５】
本発明によれば、蓋に傷が付くことを防止しながら蓋の操作性を改善する蓋構造を得ることができる。
【発明を実施するための最良の形態】
【００１６】
以下、本発明における蓋構造の一実施形態について添付図面を参照して説明する。
【００１７】
図１は蓋構造を備えるカメラ１００を底面側１１０から見た斜視図である。
【００１８】
カメラ１００の背面１２０には液晶表示部１２１及びカメラ１００を操作するための釦１２２が設けられる。ユーザは液晶表示部１２１に表示された画像を見て撮影を行い、釦１２２を用いて撮影済みの画像を液晶表示部１２１に表示する。
【００１９】
カメラ１００の底面１１０には電池室の蓋部材２１０及び三脚穴１３０が設けられる。本実施形態における蓋構造は電池室の蓋構造２００として用いられる。蓋部材２１０はカメラ１００の第１の角部１４０に設けられた軸を回転軸として回動する。ユーザは蓋部材２１０を開けて電池室に電池を出し入れする。
【００２０】
次に、図２から４を用いて蓋構造２００について説明する。
【００２１】
カメラ１００の第２の角部１４１を構成する正面カバー１６０の角部には、円筒形状の孔１６１が設けられる。背面カバー１５０の角部にも孔１６１に対応する図示しない孔が設けられる。背面カバー１５０はこれらの孔と嵌合する螺子（図示しない）により正面カバー１６０に取り付けられる。カメラ１００の第１の角部１４０を構成する背面カバー１５０の角部には、円筒形状の遊嵌孔１５２が開口する第１の軸支持部１５１が設けられ、同様に第１の角部１４０を構成する正面カバー１６０の角部には、螺子孔１６３が開口する第２の軸支持部１６２が設けられる。
【００２２】
正面カバー１６０と背面カバー１５０との間には図示しないＯリングが設けられる。背面カバー１５０が正面カバー１６０に取り付けられると、Ｏリングは、正面カバー１６０における背面カバー１５０との接合面１６４から背面カバー１５０に向けて突出するＯリング押圧部１６５により押圧される。これにより、水分が正面カバー１６０と背面カバー１５０との接合面１６４からカメラ１００の内部１０１に侵入することを防止する。
【００２３】
蓋構造２００は、回転軸４１０により軸支される蓋部材２１０と、回転軸４１０の両端を覆うように設けられるストッパー部材３００とを備える。
【００２４】
蓋部材２１０は、回転軸４１０が嵌挿される軸受孔２２１が幅方向に開口する軸受部２２０と、軸受部２２０から延びる蓋覆部２４０とからなる。蓋覆部２４０は被覆部１１２を覆う内面２４４と、内面２４４の裏面である表面２４１とを有する。蓋覆部２４０の幅と、軸受部２２０の軸方向長さは同じである。
【００２５】
軸受部２２０は、その軸に平行な外周面２２２を有する。外周面２２２は表面２４１と連続する。軸受部２２０外周の曲率半径は、軸受部２２０から蓋覆部２４０の表面２４１に近づくにつれて増加する。軸受部２２０の外周面２２２には、第１及び第２の係合溝２２３、２２４が設けられる。第１及び第２の係合溝２２３、２２４は、回転軸４１０と平行な直線上であって、蓋部材２１０の幅方向端部に設けられる。第１及び第２の係合溝２２３、２２４における回転軸４１０に対し直角方向の断面はＶ字形状である。第１及び第２の係合溝２２３、２２４の軸受部２２０の軸方向におけるそれぞれの長さは、軸受部２２０の軸方向長さの約１／５である。軸受部２２０の周方向における第１及び第２の係合溝２２３、２２４の位置は、蓋部材２１０が最も開かれたとき、つまり略９０度開かれたとき、カメラ１００の外側面１１１を延長した面上にあるような位置である。第１及び第２の係合溝２２３、２２４は軸受部２２０の軸方向の一部に設けられ、軸方向全長に渡って連続しないため、第１及び第２の係合溝２２３、２２４を設けても軸受部２２０の強度が落ちない。
【００２６】
蓋覆部２４０の先端には開閉レバー２４２が設けられる。開閉レバー２４２は被覆部１１２に設けられるレバー係合部１１３と係合して、蓋部材２１０がユーザの意図に反して開いてしまうことを防止する。開閉レバー２４２は蓋覆部２４０の表面から露出するスライド突起２４３を備える。ユーザはこのスライド突起２４３をスライドさせて、蓋部材２１０を開閉する。
【００２７】
回転軸４１０は、段付き螺子４００に設けられる。段付き螺子４００の一端には雄螺子部４２０が設けられており、他端には螺子頭部４３０が設けられる。雄螺子部４２０と螺子頭部４３０との間には、雄螺子部４２０よりも大きい径を有し、かつ螺子が切られていない円筒形状の円筒部４１０が設けられる。この円筒部４１０が回転軸４１０となる。雄螺子部４２０と回転軸４１０との間には段部４１１が形成される。
【００２８】
ストッパー部材３００は、回転軸４１０の両端を覆う第１及び第２のカバー部３１０、３２０と、回転軸４１０と平行に延びて第１及び第２のカバー部３１０、３２０を接続する接続部３３０と、接続部３３０から回転軸４１０に対し直角方向へ延びる過開防止部３４０と、過開防止部３４０から回転軸４１０に対し直角方向へ延びる第１及び第２の閉防止部３５１、３５２とを備える。
【００２９】
過開防止部３４０の軸受部２２０軸方向における長さは、蓋部材２１０の幅と略等しい。
【００３０】
第１及び第２の閉防止部３５１、３５２は、回転軸４１０の軸方向に延びる直方体形状であり、延伸方向におけるそれぞれの長さは、過開防止部３４０の軸受部２２０軸方向における長さの約１／７である。第１及び第２の閉防止部３５１、３５２の回転軸４１０の軸方向における長さは、第１及び第２の係合溝２２３、２２４の回転軸４１０軸方向における長さよりも短い。そのため、第１及び第２の閉防止部３５１、３５２は第１及び第２の係合溝２２３、２２４と容易に係合する。
【００３１】
カメラ１００の第１の角部１４０には、蓋部材２１０の軸受部２２０を取り付けるための凹部１４１が設けられる。凹部１４１は正面カバー１６０の背面カバー１５０側からカメラ１００の前面に向けて延びる。凹部１４１の前面側端部には第２の軸支持部１６２が設けられる。
【００３２】
凹部１４１におけるカメラ１００の側面側端部には、正面カバー１６０及び背面カバー１５０の厚さ方向全長に渡って、押さえ溝１４２が設けられる。この押さえ溝１４２は、後述するようにストッパー部材３００の接続部３３０と係合する。
【００３３】
凹部１４１には軸受部２２０が収納され、背面カバー１５０の隅に設けられた遊嵌孔１５２から段付き螺子４００が挿入される。段付き螺子４００は遊嵌孔１５２を通過した後、軸受孔２２１と遊嵌する。そして、螺子孔１６３と段付き螺子４００の雄螺子部４２０とが螺合する。これにより、蓋部材２１０がカメラ１００に取り付けられる。
【００３４】
このとき、段部４１１は、第２の軸支持部１６２における凹部側の面と係合するため、段付き螺子４００は雄螺子部４２０の長さ以上に螺子孔１６３に挿入されない。つまり、第１の軸支持部１５１と第２の軸支持部１６２との間隔は、回転軸４１０の長さから第１の軸支持部１５１の厚さを引いた長さに保たれる。
【００３５】
回転軸４１０の長さは、凹部１４１の長さと第１の軸支持部１５１の厚さとを加えた長さに略等しい。そのため、背面カバー１５０は正面カバー１６０に遊びなく固定される。軸受孔２２１の長さは、凹部１４１の長さよりもわずかに短い。そのため、蓋部材２１０は、第１及び第２の軸支持部１５１、１６２に押圧されることがなく、回転軸４１０を軸として回動自在である。
【００３６】
段付き螺子４００が取り付けられた後、ストッパー部材３００が取り付けられる。第１及び第２のカバー部３１０、３２０は第１及び第２の軸支持部１５１、１６２にそれぞれ接着剤等により接着される。
【００３７】
第１の軸支持部１５１はカメラ１００の背面１２０を切り欠くように設けられる。第１のカバー部３１０及び第１の軸支持部１５１をカメラ１００の背面１２０側から見た形状は略同一である。そのため、第１の軸支持部１５１と第１のカバー部３１０は、背面１２０と第１のカバー部３１０との間に隙間が設けられることなく係合する。同様に、第２の軸支持部１６２はカメラ１００の正面を切り欠くように設けられる。第２のカバー部３２０及び第２の軸支持部１６２をカメラ１００の正面側から見た形状は略同一である。そのため、第２の軸支持部１６２と第２のカバー部３２０は、カメラの正面と第２のカバー部３２０との間に隙間が設けられることなく係合する。
【００３８】
接続部３３０は、カメラ１００の外側面１１１と面一になるよう、押さえ溝１４２に収納される。接続部３３０における過開防止部３４０が突出する面の裏面３３１及びカメラ１００内部側の面３３２は、押さえ溝１４２と係合する。接続部３３０には、接続部３３０のカメラ１００内部側の面からカメラ１００内部方向、かつ回転軸４１０の円周方向に向けて突出する補強リブ３３３が設けられる。
【００３９】
以下、蓋構造２００の作用について図４から図６を用いて説明する。
【００４０】
図４は、蓋部材２１０が電池室１１４を塞いでいる状態を示す。
【００４１】
ストッパー部材３００は蓋部材２１０のいずれの部位とも係合せず、蓋部材２１０との間に所定の間隙を有する。この間隙の存在により、蓋部材２１０はストッパー部材３００と接触するまで、ストッパー部材３００からの抵抗を受けることなく回動する。
【００４２】
図５は蓋部材２１０が最も大きく回動した状態を示す。以下、過開防止部３４０の作用について説明する。
【００４３】
前述の通り、軸受部２２０の外周の曲率半径は、軸受部２２０から蓋覆部２４０の表面２４１に近づくにつれて増加する。そのため、蓋部材２１０が閉じられているときには、軸受部２２０の外周面２２２は過開防止部３４０と接触しない。しかし、蓋部材２１０が開けられるにつれて、軸受部２２０の外周面２２２は過開防止部３４０に近づく。そして、蓋部材２１０が略９０度以上回転したとき、軸受部２２０の外周面２２２は過開防止部３４０に当接する。過開防止部３４０は弾性部材からなるため、外周面２２２に傷を付けずに、蓋部材２１０がさらに回動することを防止する。補強リブ３３３は過開防止部３４０を補強するため、外周面２２２から加えられる力が過開防止部３４０を潰す可能性が減少する。
【００４４】
これにより、蓋部材２１０は、カメラ１００の外側面１１１と接触し傷付くことがない。
【００４５】
図６は蓋部材２１０がストッパー部材３００と係合した状態を示す。以下、第１及び第２の閉防止部３５１、３５２の作用について説明する。
【００４６】
蓋部材２１０が開けられるにつれて、軸受部２２０の外周面２２２は第１及び第２の閉防止部３５１、３５２に近づく。そして、蓋部材２１０が略９０度回転したとき、軸受部２２０の外周面２２２は第１及び第２の閉防止部３５１、３５２と接触し、第１及び第２の係合溝２２３、２２４は、第１及び第２の閉防止部３５１、３５２と係合する。軸受部２２０の外周の曲率半径が軸受部２２０から蓋覆部２４０の表面２４１に近づくにつれて増加することにより、確実に第１及び第２の係合溝２２３、２２４と第１及び第２の閉防止部３５１、３５２とを係合させることができる。係合により、第１及び第２の閉防止部３５１、３５２と第１及び第２の係合溝２２３、２２４との間には摩擦力が生じる。この摩擦力は、蓋部材２１０が被覆部１１２方向に回動する力に対抗し、ユーザの意図に反して蓋部材２１０が被覆部１１２方向に回動することを防ぐ。そして、ストッパー部材３００が押さえ溝１４２と外周面２２２との間に狭持されるため、蓋部材２１０は第１及び第２の係合溝２２３、２２４と第１及び第２の閉防止部３５１、３５２とが係合している位置からさらに開く方向へ回動しない。
【００４７】
本願発明によれば、蓋部材２１０及びストッパー部材３００というわずかな部品を用いることにより、蓋部材２１０が開きすぎてカメラ１００のカバーと衝突し傷が付くことを防止すると共に、蓋部材２１０を開放位置で保持することが可能になる。
【００４８】
なお、軸受部２２０の外周は曲面で構成されなくても良い。係合溝が閉防止部と係合、又は軸受部２２０の外周面が過開防止部３４０と係合するような形状、例えば角柱であっても良い。
【００４９】
また、閉防止部及び係合溝は２つずつ設けられなくても良い。閉防止部及び係合溝の数は、蓋部材２１０がユーザの意図に反して被覆部１１２側に回動することがない程度の力をストッパー部材３００から蓋部材２１０に加えることが可能な程度の数であればよい。
【００５０】
そして、閉防止部及び係合溝の長さは、蓋部材２１０がユーザの意図に反して被覆部１１２側に回動することがない程度の力を、閉防止部から係合溝に加えることが可能な程度の長さであればよい。
【図面の簡単な説明】
【００５１】
【図１】本発明における蓋構造の一実施形態を備えるカメラの斜視図である。
【図２】カメラに設けられた蓋構造の分解図である。
【図３】ストッパー部材の斜視図である。
【図４】図１のIV−IV線における部分断面図である。
【図５】カメラの斜視図である。
【図６】図５のVI−VI線における部分断面図である。
【符号の説明】
【００５２】
１００  カメラ
２１０  蓋部材
２２０  軸受部
２２３  第１の係合溝
２２４  第２の係合溝
２４０  蓋覆部
３００  ストッパー部材
３５１  第１の閉防止部
３５２  第２の閉防止部
４００  段付き螺子
４１０  回動軸
【図１】
0005220362.tif 000002
【図２】
0005220362.tif 000003
【図３】
0005220362.tif 000004
【図４】
0005220362.tif 000005
【図５】
0005220362.tif 000006
【図６】
0005220362.tif 000007